(57)【要約】【課題】キャビネット本体の収容空間が狭くても幅広の物を収納可能にしながら下部に収納された物の出し入れを容易にさせ、使い勝手を向上させることが可能なキャビネットの提供を課題とする。【解決手段】キャビネット本体１０の収容空間ＳＰ１に対してスライド可能に収容される引出ユニット２０に、収容空間ＳＰ１の中で上部を空けながら側面４０ａに物Ｗ１を収納する隙間ＣＬ１を形成するように立てた状態とされたパネル部材４０を設けるとともに、収容空間ＳＰ１の中でパネル部材の側面４０ａに形成される隙間ＣＬ１よりも幅広とされた小物入れ７０をパネル部材４０の上側に設けてキャビネット１００を構成する。小物入れＷ２をパネル部材４０に対して引出ユニット２０の引出方向Ｄ１へスライド可能に取り付けてもよい。【選択図】図５
2008173374.tif 000002
【特許請求の範囲】
【請求項１】
キャビネット本体の収容空間に対して引出ユニットをスライド可能に収容するキャビネットであって、
前記引出ユニットは、前記収容空間の中で上部を空けながら側面に物を収納する隙間を形成するように立てた状態とされたパネル部材が設けられるとともに、前記収容空間の中で前記パネル部材の側面に形成される前記隙間よりも幅広とされた小物入れが前記パネル部材の上側に設けられていることを特徴とするキャビネット。
【請求項２】
前記小物入れが前記パネル部材に対して前記引出ユニットの引出方向へスライド可能に取り付けられたことを特徴とする請求項１に記載のキャビネット。
【発明の詳細な説明】
【技術分野】
【０００１】
本発明は、キャビネット本体に対して引出ユニットを収容するキャビネットに関する。
【背景技術】
【０００２】
従来、この種のキャビネットとして、特許文献１に記載されるように、システムキッチンなどのような厨房家具を構築するための構成要素となるベースキャビネットが知られている。幅の狭いベースキャビネット（例えば基準間口幅１５cmのベースキャビネット）は、調味料等のビン立て、調理器具掛け、まな板ラック、等の薄さに対応する引出ユニットが構成され、小物類が収容される。同文献の図７に示される引出ユニット（Ｌ１）は、ベースキャビネットの収容空間の中で鉛直方向へ立てた状態とされた格子パネル部材がほぼ上下全体にわたって設けられている。従って、引出ユニットが収容されるキャビネット本体の内壁と格子パネル部材の側面との隙間に入る小物類がベースキャビネットに収容される。
【０００３】
また、特許文献２（特に、第６頁、第４図〜第６図）には、鋼線を利用して枠組みされた上下２段の支持部（４ｃ，４ｄ）を形成したフレームワーク（４）を備えるフロアキャビネットが記載されている。そして、これらの支持部にバケット（６）のフランジ（６ａ）やトレー（７）のフランジ（７ａ）が掛けられるようにされている。
【特許文献１】特開２００５−８７６０９号公報
【特許文献２】実開平３−４２２８０号公報
【発明の開示】
【発明が解決しようとする課題】
【０００４】
特許文献１記載の技術では、収納可能な小物類の大きさがキャビネット本体の内壁と格子パネル部材の側面との間の内寸以下となるため、該内寸よりも大きい小物類をベースキャビネットに収納することができない。また、特許文献２記載の技術では、下段のフレームに掛けられたバケットやトレーに対して小物類を収納したり取り出したりする際に上段のフレームが邪魔になり、小物類の出し入れがし難い。なお、上段のフレームを無くすと、キャビネット本体内の上部空間に小物類を収納することができない。
【０００５】
本発明は、上記課題に鑑みてなされたもので、キャビネット本体の収容空間が狭くても幅広の物を収納可能にしながら下部に収納された物の出し入れを容易にさせ、収容空間を有効活用して使い勝手を向上させることが可能なキャビネットの提供を目的とする。
【課題を解決するための手段】
【０００６】
上記目的を達成するため、本発明は、キャビネット本体の収容空間に対して引出ユニットをスライド可能に収容するキャビネットであって、前記引出ユニットは、前記収容空間の中で上部を空けながら側面に物を収納する隙間を形成するように立てた状態とされたパネル部材が設けられるとともに、前記収容空間の中で前記パネル部材の側面に形成される前記隙間よりも幅広とされた小物入れが前記パネル部材の上側に設けられていることを特徴とする。
本キャビネットによると、パネル部材の上側に設けられた小物入れがパネル部材の側面にある物を収納する隙間よりも幅広なので、幅広の物を収納することができる。その上、キャビネット本体の収容空間の中で幅広の小物入れの下側ではパネル部材が立てた状態で設けられているので、該小物入れの下側に収納された物の出し入れが容易である。従って、キャビネット本体の収容空間が狭くても幅広の物を収納可能にしながら下部に収納された物の出し入れが容易になる。
【０００７】
各請求項に係る発明において、上記パネル部材は、面材の他、線材を組み合わせて格子状にした格子パネル部材等の部材も含まれる。また、上記パネル部材には、物を収納する面に小物入れやフック等が一体化された部材も含まれる。さらに、パネル部材を立てた状態とすることには、鉛直方向に立てた状態にすることの他、鉛直方向からずれた方向に立てた状態にすることも含まれる。
上記小物入れは、パネル部材に取り付けられてもよいし、引出ユニットを構成する他の部材に取り付けられてもよいし、キャビネット本体に対してスライド可能に取り付けられてもよい。
なお、上記引出ユニット単体にも発明が存在し、当該発明も上述した作用、効果を奏する。
【発明の効果】
【０００８】
以上説明したように、本発明によれば、キャビネット本体の収容空間が狭くても幅広の物を収納可能にしながら下部に収納された物の出し入れを容易にさせることが可能になり、収容空間を有効活用して使い勝手を向上させることが可能なキャビネットを提供することができる。
請求項２にかかる発明では、利用者が小物入れの位置を好みに応じて容易に変更することができるので、使い勝手を向上させることができる。
【発明を実施するための最良の形態】
【０００９】
（１）キャビネットの構成：
図１は、本発明のキャビネットとなるキッチン用のフロアキャビネット１００を設置したシステムキッチンＳ１の要部の構築例を分解して示している。システムキッチンＳ１は、複数の構成要素が集合して形成される。各フロアキャビネット１００，１０１，１０２，１０３は、隣り合うフロアキャビネット同士で対面する側板がねじやナット等などの固定部品で連結されることにより一体化され、上部の開口部にキッチンカウンタＳ２が載置されて固定される。キャビネット１００〜１０３は、各種の基準間口幅があり、各種の基準間口幅のフロアキャビネットが任意に選択されて組み合わされることによりシステムキッチンＳ１が構築される。本発明のキャビネットは、基準間口幅が例えば１５cmと狭いフロアキャビネット１００に適用されると好適である。
【００１０】
図２と図３と図５はキャビネット１００を示す図であり、図４はキャビネット本体１０を示す図である。わかりやすくするため、図４では前板部６０の図示を省略している。なお、本明細書のキャビネットは引出ユニットも含むものとし、この引出ユニットを含まない外側の箱をキャビネット本体と呼ぶことにする。
キャビネット本体１０では、一対の側板１２，１３の間に底板１１、背板１４、幕板１５が架け渡されて固定され、箱体が構成されている。キャビネット本体の材質は、特に限定されず、木質素材、熱可塑性樹脂等の樹脂成形材料、ステンレス等の金属、等とすることができる。キャビネット本体１０内には、引出ユニット２０を収容する収容空間ＳＰ１が形成されている。本キャビネット１００は、キャビネット本体１０の収容空間ＳＰ１に対して引出ユニット２０を水平な前後方向とされた引出方向Ｄ１へスライド可能に収容してなる。
【００１１】
本発明を構成する引出ユニットは、パネル部材４０と幅広の小物入れ７０とを少なくとも有する。本実施形態の引出ユニット２０は、スライドレール３０、パネル部材４０、前板部６０、幅広の小物入れ７０、を有している。
引出ユニット２０に設けられるパネル部材４０は、キャビネット本体の収容空間ＳＰ１の中で上部（上部空間ＳＰ２）を空けながら側面（収納面４０ａ）に物Ｗ１を収納する隙間ＣＬ１を形成するように立てた状態とされている。本実施形態のパネル部材４０は、下部小物入れ５２やフック５４や幅広の小物入れ７０等の被係止具を係止させるための係止用穴４３が縦横に複数列形成された係止用板４２と、パネル部材４０の裏面４０ｂを構成する裏板４４とが若干間隔を空けて重ねられ、両板４２，４４の上下及び前後の縁部がともに枠部材４６に係止されて互いに固定されている。従って、パネル部材４０は、収納面４０ａに係止用穴４３を多数有し、これらの係止用穴４３が裏面４０ｂで隠された面材とされている。パネル部材を構成する部材４２，４４，４６の材質は、特に限定されないが、係止用板４２や枠部材４６の材質はある程度剛性が高い方が好ましいことからアルミニウムやステンレス等の金属が多くの場合用いられる。なお、厚肉構造としたり、リブを設けたりする等して剛性を高めたものであれば、樹脂成形品であっても良い。
【００１２】
本実施形態では、幅の狭いキャビネット１００がシステムキッチンＳ１の中で左側にあるため、キャビネットに収納された物を取り出し易くさせるため、キャビネット本体の収容空間ＳＰ１の中でパネル部材４０を左側に寄せ、該パネル部材の右側の側面を収納面４０ａにしている。すなわち、パネル部材４０の左側の側面（裏面４０ｂ）と該側面に対向するキャビネット本体１０の左側の側壁１３ａとの隙間がほとんど無いようにされ、パネル部材４０の右側の側面（収納面４０ａ）と該側面に対向するキャビネット本体１０の右側の側壁１２ａとの隙間ＣＬ１がなるべく広くなるようにされている。このように、キャビネット本体の収容空間の中でパネル部材が左右の片方に寄せられているので、ある程度の幅を有する物を収納する空間がパネル部材の収納面に形成される。
なお、パネル部材の収納面はシステムキッチンの中央側にあると収納物の出し入れが容易になるので、幅の狭いキャビネットがシステムキッチンの中で右側にある場合にはキャビネット本体の収容空間の中でパネル部材を右側に寄せるとよい。
【００１３】
本パネル部材４０は、なるべく多くの収納スペースを確保するため、鉛直方向に向けて立てられている。むろん、パネル部材を鉛直方向からずれた方向に立てた状態にすることも可能である。
引出ユニットで立てて設けられたパネル部材の係止用穴４３に対して、収納面４０ａ側から小物入れ５２，７０等の被係止具に設けられた係止部を挿入し、該係止部をパネル部材４０に係止させると、被係止具をパネル部材の収納面４０ａに対して固定することができる。なお、下部の小物入れ５２は調味料やラップといった比較的小さい物を収納するための物入れとされ、フック５４は比較的小さい調理器具等を掛止するための掛止具とされ、上部の小物入れ７０は洗剤といった比較的小さいながら幅広の物を収納するための物入れとされる。
【００１４】
本パネル部材の裏面４０ｂを形成する裏板４４とキャビネット本体の側壁１３ａを形成する側板１３との間には、お互いをスライド可能に連結するスライドレール（スライド機構）３０が取り付けられている。図３と図５では、スライドレール３０が上下に２本設置されていることが示されている。スライドレール３０には、例えば、アウタレール３１、このアウタレールに対して長手方向へスライド可能なセンタレール３２、このセンタレールに対して長手方向へスライド可能なインナレール３３、を有する三段式のスライドレールを用いることができる。この場合、長手方向を前後に向けてアウタレール３１をねじ止め等により側壁１３ａに取り付け、長手方向を前後に向けてインナレール３３をねじ止め等によりパネル部材の裏面４０ｂ側の枠部材４６に取り付けると、パネル部材４０がキャビネット本体１０に対して前後方向とされた引出方向Ｄ１へスライド可能とされ、収容空間ＳＰ１に対して引き出し可能に収容される。むろん、パネル部材をスライドさせる機構には二段式など三段式以外のスライドレールを用いることができるし、スライドレール以外のスライド機構を用いることもできる。
【００１５】
また、パネル部材４０の前縁部には、前板部６０が取り付けられている。前板部６０は、例えば、キャビネット本体１０の前面開口を覆う大きさの前板６２と、この前板の前面に対してねじ止め等により固定された把手６４とを有する構成とすることができる。前板６２や把手６４の材質は、特に限定されず、木質素材、樹脂成形材料、金属、等とすることができる。前板６２は、例えば、パネル部材４０の前縁部に対してねじ止め等により固定される。
以上より前板部６０とパネル部材４０とが一体化されているので、把手６４を手で持って引いたり押したりすると、引出ユニット２０全体が引出方向Ｄ１へ往復移動可能になり、収容空間ＳＰ１から引き出されたり収容空間ＳＰ１に収容されたりする。
【００１６】
ところで、キャビネットの収容空間の中で垂直に立てた状態とされたパネル部材がほぼ上下全体にわたって設けられると、キャビネット本体の側壁間の内寸（図４のＴ０に相当）に近い幅の物を収納することができず、収納可能な物の大きさがキャビネット本体の側壁とパネル部材の側面との隙間の内寸（図４のＴ１に相当）以下となる。このため、該隙間の内寸よりも大きい物をキャビネットに収納することができない。そこで、本キャビネット１００では、図４に示すようにキャビネット本体の収容空間ＳＰ１の中で上部空間ＳＰ２が形成されるようにパネル部材４０を立てて設け、図５に示すように収容空間ＳＰ１の中でパネル部材の収納面４０ａに形成される隙間ＣＬ１よりも幅広とされた小物入れ７０をパネル部材４０の上側に設けている。
【００１７】
小物入れ７０は、例えば、幅広の物を収容するための幅広の本体部７２と、この本体部をパネル部材４０に取り付けて固定する係止部７４とを有する構成とすることができる。係止部７４をパネル部材の係止用穴４３に挿入してパネル部材４０に係止するように形成すれば、パネル部材の係止用穴４３に対して収納面４０ａ側から係止部７４を挿入して該係止部をパネル部材４０に係止させることにより、小物入れ７０がパネル部材の収納面４０ａに対して着脱可能に固定される。
【００１８】
本体部７２は、例えば、フレーム状とされ、複数の金属線材を所定の形状に曲げ加工し、該加工後の線材同士を溶接等で接合することにより形成される。むろん、本体部は、フレーム構造以外にも、金属や樹脂成形材料の成形品からなる容器等でもよい。
係止部７４は、例えば、複数の係止用穴４３にてパネル部材４０に係止されるよう小物入れ７０に対して複数箇所設けられる。各係止部７４は、例えば、本体部７２にて下方へ突出した金属線材の端部を着脱可能に挿入するための挿入穴を上部に有し、パネル部材４０に係止された状態で前記挿入穴に金属線材の端部を挿入して本体部７２を下から支持する。係止部７４は、例えば、樹脂成形材料を成形することにより形成されるが、金属の加工品等でもよい。
【００１９】
ここで、図５に示すように、本小物入れ７０（特に本体部７２）の内寸、すなわち有効幅Ｔ２は、収容空間ＳＰ１の中でパネル部材の収納面４０ａと該収納面に対向するキャビネット本体の側壁１２ａとの間に形成される隙間ＣＬ１の幅Ｔ１よりも幅広とされている。これにより、下部の収納物Ｗ１よりも幅広の物Ｗ２が小物入れの本体部７２に収容される。
【００２０】
以上の構成を有するキャビネット１００は、例えば、以下のようにして製造することができる。
キャビネット本体１０については、各板１１〜１５を加工し、側板１２，１３の間に底板１１、背板１４、幕板１５を架け渡して固定することにより、形成される。このキャビネット本体１０とパネル部材４０との間にスライドレール３０を取り付けると、キャビネット本体１０に対してパネル部材４０がスライド可能に設置される。このパネル部材４０の前縁部に前板部６０を取り付け、同パネル部材４０の上部に幅広の小物入れ７０を取り付けると、キャビネット１００が形成される。同パネル部材の収納面４０ａには、適宜、小物入れ５２やフック５４を取り付けることができる。
なお、キャビネットを組み立てる順番は、適宜、変更可能である。
【００２１】
（２）キャビネットの作用、効果：
以下、図５を参照して、本キャビネットの作用、効果を説明する。
パネル部材４０の上側に設けられた小物入れ７０は、キャビネット本体の収容空間ＳＰ１の中でパネル部材の収納面４０ａに形成される隙間ＣＬ１よりも幅広とされているので、隙間ＣＬ１よりも幅広の物Ｗ２を収容することができる。これにより、下部の収納物Ｗ１よりも幅広の物Ｗ２が小物入れの本体部７２に収容され、キャビネット本体の上部空間ＳＰ２に収納される。従って、パネル部材４０の厚みをデッドスペースにすることなく収納スペースとすることができるとともに、キャビネット本体の側壁１２ａ，１３ａ間の内寸を有効活用することができる。
【００２２】
また、キャビネット本体の収容空間ＳＰ１の中で幅広の小物入れ７０の下側ではパネル部材４０が立てた状態で設けられているので、小物入れ７０の下側に収納された物の出し入れが容易である。特に、上部の小物入れを支持するフレームが無いので、収容空間の下部に物を収容したり収容空間の下部から物を取り出したりする際に引っ掛かりが生じず、小物入れ７０の下側に収納された物を容易に出し入れすることができる。
従って、キャビネット本体の収容空間が狭くても幅広の物を収納可能にしながら下部に収納された物の出し入れを容易にさせることが可能になり、収容空間を有効活用して使い勝手を向上させることが可能になる。
【００２３】
（３）変形例：
本発明のキャビネットは、種々の変形例が考えられる。
本発明を適用可能なキャビネットは、キッチンキャビネット以外にも、洗面化粧台等が考えられる。
上記キャビネット本体には、該キャビネット本体専用の天板が側板間に架け渡されていてもよい。
上記スライド機構は、パネル部材とキャビネット本体との間以外に設けられてもよい。例えば、スライド機構の一方をキャビネット本体に取り付け他方を前板部に取り付けてもよいし、スライド機構の一方をキャビネット本体に取り付け他方を幅広の小物入れに取り付けてもよいし、スライド機構の一方をキャビネット本体に取り付け引出ユニットを構成する他の部材に他方を取り付けてもよい。また、キャビネット本体に対してパネル部材をスライド可能に取り付ける第一のスライド機構と、パネル部材の上側でスライドするように幅広の小物入れをキャビネット本体に対してスライド可能に取り付ける第二のスライド機構とが同時に設けられてもよい。
上記幅広の小物入れは、パネル部材に取り付けられる以外にも、上述のように第二のスライド機構に取り付けられてもよいし、前板部等に取り付けられてもよい。
上記パネル部材は、一つの引出ユニットの中で複数に分割されて設けられてもよい。
上記係止用板の縁部を厚く形成したり、上記係止用板の４辺に折返し部を形成したりして上記枠部材の代替部分とすると、上記枠部材を省略することができる。
【００２４】
図６に示すキャビネット２００のように、パネル部材に、線材１４１を組み合わせて格子状にした格子パネル部材１４０を用いてもよい。なお、以下の変形例では、上述した実施形態と同じ構成のものには同じ符号を付して説明を省略する。
【００２５】
本キャビネットの格子パネル部材１４０は、キャビネット本体１０の収容空間の中で上部を空けながら側面（収納面１４０ａ）に物を収納する隙間を形成するように立てた状態とされている。本キャビネットの引出ユニット１２０を構成する幅広の小物入れ１７０は、キャビネット本体１０の収容空間の中で格子パネル部材の側面１４０ａに形成される隙間よりも幅広とされている。本格子パネル部材１４０では線材１４１同士の間に空隙ができているため、利用者は下部の収納物Ｗ１を収容するための小物入れや調理器具等を線材１４１に対して容易に引っ掛けてキャビネット内に収納することができる。従って、本キャビネットは、便利である。
むろん、パネル部材は、係止用穴を有するパネル部材や格子パネル部材以外にも、被係止具を固定するための突出部を有するパネル部材等でもよい。また、パネル部材は、収納面に小物入れやフック等の被係止具が一体化された部材でもよい。
【００２６】
図７に示すキャビネット３００のように、引出ユニットを複数に分割してもよい。本キャビネット３００は、上下方向において２分割され、上側の引出ユニット２２１にてパネル部材２４１の上側に幅広の小物入れ２７１が設けられ、下側の引出ユニット２２２にてパネル部材２４２の上側に幅広の小物入れ２７２が設けられている。各パネル部材２４１，２４２とキャビネット本体１０の側壁との間にはそれぞれ図示されないスライドレールが取り付けられるとともに、各パネル部材２４１，２４２の前側縁部にはそれぞれ前板２６２と把手２６４を有する前板部２６０が取り付けられている。
【００２７】
本キャビネット３００の場合、キャビネット本体１０の収容空間ＳＰ１は、上から下へ順に、上側小物入れ２７１が収容される第一の上部空間ＳＰ３、上側パネル部材２４１が収容される第一の下部空間ＳＰ４、下側小物入れ２７２が収容される第二の上部空間ＳＰ５、下側パネル部材２４２が収容される第二の下部空間ＳＰ６に分けられる。ここで、下側パネル部材２４２は、収容空間ＳＰ１の中で上部（上部空間ＳＰ５）を空けながら側面に物を収納する隙間を形成するように立てた状態とされているといえる。従って、本キャビネット３００も、本発明に含まれ、上述した作用、効果が得られる。
むろん、引出ユニットを水平方向において複数に分割したキャビネットも、本発明に含まれ、上述した作用、効果が得られる。
【００２８】
図８に示すキャビネット４００のように、幅広の小物入れ３７０がパネル部材４０に対して引出ユニット３２０の引出方向Ｄ１へスライド可能に取り付けられてもよい。本キャビネットの幅広の小物入れ３７０は、例えば、幅広の物を収容するための幅広の本体部３７２と、この本体部をパネル部材４０に対してスライド可能に取り付ける係止部３７４とを有する構成とすることができる。係止部３７４は、例えば、本体部３７２とパネル部材４０とを互いにスライド可能に連結するスライドレール（小物入れスライド機構）で構成することができる。そして、長手方向を前後に向けてアウタレール３７５をパネル部材４０の収納面に取り付け、長手方向を前後に向けてインナレール３７６を本体部３７２に取り付けると、小物入れ３７０がパネル部材４０に対して引出方向Ｄ１へスライド可能とされる。ここで、アウタレール３７５をパネル部材の係止用穴４３に挿入してパネル部材４０に係止するように形成すれば、パネル部材の係止用穴４３に対して収納面側からアウタレール３７５の係止部を挿入して該係止部をパネル部材４０に係止させることにより、小物入れ３７０がパネル部材の収納面に対して着脱可能に取り付けられる。
【００２９】
本変形例では、利用者が幅広の小物入れ３７０の位置を好みに応じて前後方向へ容易に変更することができるので、下部の収納物をさらに容易に出し入れすることができる。従って、キャビネットの使い勝手が向上する。
【００３０】
図９〜図１１に示すキャビネット５００のように、小物入れ４７０自体がパネル部材を挟持してパネル部材に取り付けられるようにしてもよい。本キャビネット５００も、幅広の小物入れ４７０がパネル部材４０に対して引出ユニット４２０の引出方向Ｄ１へスライド可能に取り付けられているといえる。本キャビネットの幅広の小物入れ４７０は、例えば、幅広の物Ｗ２を収容するための幅広の本体部４７２と、パネル部材４０の縁部を摺動可能に挟持して本体部４７２をパネル部材４０に取り付ける挟持部４７４とを有する構成とすることができる。挟持部４７４は、例えば、長手方向を引出方向Ｄ１に向けてパネル部材４０の幅よりも広い間隔を空けて本体部４７２の下面から下方へ延出した一対の延出部４７５，４７５と、各延出部４７５，４７５の内側面に設けられた易摺動材４７６，４７６とを有する構成とすることができる。本体部４７２及び延出部４７５の材質は、金属、樹脂成形材料、等とすることができる。易摺動材４７６，４７６には、ポリプロピレンやフッ素樹脂等の熱可塑性樹脂、熱硬化性樹脂、その他の樹脂材料、等の摺動を容易にさせる材料を用いることができる。易摺動材４７６は、接着剤等で延出部４７５に接着されてもよいし、固化又は硬化前の粘着力により延出部４７５に付着されてもよい。また、延出部の内側面にフッ素樹脂層を形成するフッ素樹脂加工が行われてもよい。
【００３１】
パネル部材４０の上側縁部を挟持部４７４で挟持すると、小物入れ４７０がパネル部材に対して着脱可能に取り付けられる。ここで、延出部４７５，４７５の内側面に易摺動材４７６，４７６が設けられているので、図１１に示すように、小物入れ４７０を引出方向Ｄ１へ容易に摺動させることができる。
本変形例でも、利用者が幅広の小物入れ４７０の位置を好みに応じて前後方向へ容易に変更することができるので、下部の収納物をさらに容易に出し入れすることができる。その上、パネル部材に対する幅広の小物入れの着脱も非常に容易であるので、この点でも下部の収納物をさらに容易に出し入れすることが可能になる。従って、キャビネットの使い勝手がさらに向上する。
【００３２】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００３３】
【図１】キャビネットを設置したシステムキッチンの構築例を示す分解斜視図。
【図２】引出ユニットを引き出した状態のキャビネットの一例を示す斜視図。
【図３】引出ユニットを引き出した状態のキャビネットの一例を示す斜視図。
【図４】キャビネット本体の一例を示す正面図。
【図５】キャビネット本体に引出ユニットを収容した一例を示す正面図。
【図６】引出ユニットを引き出した状態でキャビネットの変形例を示す斜視図。
【図７】引出ユニットを引き出した状態でキャビネットの変形例を示す側面図。
【図８】引出ユニットを引き出した状態でキャビネットの変形例を示す側面図。
【図９】キャビネットの変形例を示す正面図。
【図１０】図９に示す幅広の小物入れの底面側を示す斜視図。
【図１１】引出ユニットを引き出した状態で図９に示すキャビネットを示す側面図。
【符号の説明】
【００３４】
１０…キャビネット本体、１１…底板、１２，１３…側板、１２ａ，１３ａ…側壁、
１４…背板、１５…幕板、
２０…引出ユニット、
３０…スライドレール、
４０…パネル部材、４０ａ…収納面、４０ｂ…裏面、
４２…係止用板、４３…係止用穴、４４…裏板、４６…枠部材、
５２…下部小物入れ、５４…フック、
６０…前板部、６２…前板、６４…把手、
７０…幅広の小物入れ、７２…本体部、７４…係止部、
１００，２００，３００，４００，５００…フロアキャビネット（キャビネット）、
ＣＬ１…隙間、
Ｄ１…引出方向、
Ｓ１…システムキッチン、Ｓ２…キッチンカウンタ、
ＳＰ１…収容空間、ＳＰ２…上部空間、
Ｗ１…下部の収納物、Ｗ２…幅広の収納物、
【図１】
2008173374.tif 000003
【図２】
2008173374.tif 000004
【図３】
2008173374.tif 000005
【図４】
2008173374.tif 000006
【図５】
2008173374.tif 000007
【図６】
2008173374.tif 000008
【図７】
2008173374.tif 000009
【図８】
2008173374.tif 000010
【図９】
2008173374.tif 000011
【図１０】
2008173374.tif 000012
【図１１】
2008173374.tif 000013